(57)【要約】【課題】  複数のＩ／Ｏ機器で構成した場合であっても、モニタしたいＤＡＷのトラックの音響信号を、任意のＩ／Ｏ機器の任意の出力ポートから出力する。【解決手段】  モニタしたいトラック（Ｔｒ１）と、該トラック（Ｔｒ１）の音響信号を出力するトラック（Ｔｒ９）とを選択した際に、第１パッチ部２１および第２パッチ部３３とを参照することにより、トラック（Ｔｒ１）に対応する入力ポートと、トラック（Ｔｒ９）に対応する出力ポートとを特定して、モニタバスの内の選択されたモニタバスにアサインする。そして、特定された出力ポートからトラック（Ｔｒ９）からの音響信号のアサインを外す。これにより、モニタしたいトラック（Ｔｒ１）の音響信号を、指定したＩ／Ｏ機器の特定された出力ポートからダイレクトアウトすることができるようになる。【選択図】  図１
2015188203.tif 000002
【特許請求の範囲】
【請求項１】
複数のポートからなる第１入出力ポートをそれぞれ備える複数台のＩ／Ｏ機器と、
複数のポートからなる第２入出力ポートと、複数のトラックとを少なくとも備える音響信号処理装置と、
該音響信号処理装置と複数台の前記Ｉ／Ｏ機器とを接続するオーディオネットワークと、
前記第１入出力ポートの任意のポートと前記第２入出力ポートの任意のポートとを、前記オーディオネットワーク上において論理的に接続する第１パッチ部と、
前記音響信号処理装置内において、前記第２入出力ポートの任意のポートと任意の前記トラックとを論理的に接続する第２パッチ部と、
複数台の前記Ｉ／Ｏ機器における前記第１入出力ポートの間を結ぶ複数のモニタバスとを備え、
前記トラックの内のモニタしたいトラックＡと、該トラックＡの音響信号を出力する前記トラックの内のトラックＢとを選択した際に、前記第１パッチ部および前記第２パッチ部との接続情報を参照することにより、前記トラックＡに対応する前記第１入出力ポートの内の入力ポートと、前記トラックＢに対応する前記第１入出力ポートの内の出力ポートとを特定して、前記モニタバスの内の選択されたモニタバスに、特定された入力ポートと特定された出力ポートとをアサインし、前記特定された出力ポートから前記トラックＢからの音響信号のアサインを外すことを特徴とする音響システム。
【請求項２】
複数のポートからなる第１入出力ポートをそれぞれ備える複数台のＩ／Ｏ機器と、
複数のポートからなる第２入出力ポートと、複数のトラックとを少なくとも備える音響信号処理装置と、
該音響信号処理装置と複数台の前記Ｉ／Ｏ機器とを接続するオーディオネットワークと、
前記第１入出力ポートの任意のポートと前記第２入出力ポートの任意のポートとを、前記オーディオネットワーク上において論理的に接続する第１パッチ部と、
前記音響信号処理装置内において、前記第２入出力ポートの任意のポートと任意の前記トラックとを論理的に接続する第２パッチ部と、
複数台の前記Ｉ／Ｏ機器における前記第１入出力ポートの間を結ぶ複数のモニタバスとを備え、
前記トラックの内のモニタしたいトラックＡと、該トラックＡの音響信号を出力する前記トラックの内のトラックＢとを選択した際に、前記第１パッチ部および前記第２パッチ部との接続情報を参照することにより、前記トラックＡに対応する前記第１入出力ポートの内の入力ポートと、前記トラックＢに対応する前記第１入出力ポートの内の出力ポートとを特定して、前記モニタバスの内の選択されたモニタバスに、特定された入力ポートと特定された出力ポートとをアサインし、前記特定された出力ポートにアサインされていた前記トラックＢからの音響信号を、前記トラックＢから前記特定された出力ポートまでの経路の間において止めることを特徴とする音響システム。
【請求項３】
前記トラックＢから出力される音響信号を止めることを特徴とする請求項２記載の音響システム。
【請求項４】
前記トラックＢに論理的に接続されている前記第２入出力ポートの内の出力ポートから出力される音響信号を止めることを特徴とする請求項２記載の音響システム。
【請求項５】
前記特定された出力ポートにおいて前記トラックＢからの音響信号を止めることを特徴とする請求項２記載の音響システム。
【請求項６】
複数のポートからなる第１入出力ポートをそれぞれ備える複数台のＩ／Ｏ機器と、
複数のポートからなる第２入出力ポートと、複数のトラックとを少なくとも備える音響信号処理装置と、
該音響信号処理装置と複数台の前記Ｉ／Ｏ機器とを接続するオーディオネットワークと、
前記第１入出力ポートの任意のポートと前記第２入出力ポートの任意のポートとを、前記オーディオネットワーク上において論理的に接続する第１パッチ部と、
前記音響信号処理装置内において、前記第２入出力ポートの任意のポートと任意の前記トラックとを論理的に接続する第２パッチ部と、
複数台の前記Ｉ／Ｏ機器における前記第１入出力ポートの間を結ぶ複数のモニタバスとを備え、
前記トラックの内のモニタしたいトラックＡと、該トラックＡの音響信号を出力する前記トラックの内のトラックＢとを選択した際に、前記第１パッチ部および前記第２パッチ部との接続情報を参照することにより、前記トラックＡに対応する前記第１入出力ポートの内の入力ポートと、前記トラックＢに対応する前記第１入出力ポートの内の出力ポートとを特定して、前記モニタバスの内の選択されたモニタバスに、特定された入力ポートと特定された出力ポートとをアサインし、前記特定された入力ポートからの音響信号と前記トラックＢからの音響信号とが所定の混合比で混合されて前記特定された出力ポートから出力されることを特徴とする音響システム。
【請求項７】
複数のポートからなる第１入出力ポートをそれぞれ備える複数台のＩ／Ｏ機器がオーディオネットワークを介して接続されている、複数のポートからなる第２入出力ポートと、複数のトラックとを少なくとも備える音響信号処理装置であって、
前記第２入出力ポートの任意のポートと任意の前記トラックとを論理的に接続する第２パッチ部を備え、
前記第１入出力ポートの任意のポートと前記第２入出力ポートの任意のポートとは、前記オーディオネットワーク上において、第１パッチ部により論理的に接続され、複数台の前記Ｉ／Ｏ機器における前記第１入出力ポートの間は、複数のモニタバスで結ばれており、
前記トラックの内のモニタしたいトラックＡと、該トラックＡの音響信号を出力する前記トラックの内のトラックＢとを選択した際に、前記第１パッチ部および前記第２パッチ部との接続情報を参照することにより、前記トラックＡに対応する前記第１入出力ポートの内の入力ポートと、前記トラックＢに対応する前記第１入出力ポートの内の出力ポートとを特定して、前記モニタバスの内の選択されたモニタバスに、特定された入力ポートと特定された出力ポートとをアサインし、前記特定された出力ポートから前記トラックＢからの音響信号のアサインを外すことを特徴とする音響信号処理装置。
【請求項８】
複数のポートからなる第１入出力ポートをそれぞれ備える複数台のＩ／Ｏ機器がオーディオネットワークを介して接続されている、複数のポートからなる第２入出力ポートと、複数のトラックとを少なくとも備える音響信号処理装置であって、
前記第２入出力ポートの任意のポートと任意の前記トラックとを論理的に接続する第２パッチ部を備え、
前記第１入出力ポートの任意のポートと前記第２入出力ポートの任意のポートとは、前記オーディオネットワーク上において、第１パッチ部により論理的に接続され、複数台の前記Ｉ／Ｏ機器における前記第１入出力ポートの間は、複数のモニタバスで結ばれており、
前記トラックの内のモニタしたいトラックＡと、該トラックＡの音響信号を出力する前記トラックの内のトラックＢとを選択した際に、前記第１パッチ部および前記第２パッチ部との接続情報を参照することにより、前記トラックＡに対応する前記第１入出力ポートの内の入力ポートと、前記トラックＢに対応する前記第１入出力ポートの内の出力ポートとを特定して、前記モニタバスの内の選択されたモニタバスに、特定された入力ポートと特定された出力ポートとをアサインし、前記特定された出力ポートにアサインされていた前記トラックＢからの音響信号を、前記トラックＢから前記特定された出力ポートまでの経路の間において止めることを特徴とする音響信号処理装置。
【請求項９】
複数のポートからなる第１入出力ポートをそれぞれ備える複数台のＩ／Ｏ機器がオーディオネットワークを介して接続されている、複数のポートからなる第２入出力ポートと、複数のトラックとを少なくとも備える音響信号処理装置であって、
前記第２入出力ポートの任意のポートと任意の前記トラックとを論理的に接続する第２パッチ部を備え、
前記第１入出力ポートの任意のポートと前記第２入出力ポートの任意のポートとは、前記オーディオネットワーク上において、第１パッチ部により論理的に接続され、複数台の前記Ｉ／Ｏ機器における前記第１入出力ポートの間は、複数のモニタバスで結ばれており、
前記トラックの内のモニタしたいトラックＡと、該トラックＡの音響信号を出力する前記トラックの内のトラックＢとを選択した際に、前記第１パッチ部および前記第２パッチ部との接続情報を参照することにより、前記トラックＡに対応する前記第１入出力ポートの内の入力ポートと、前記トラックＢに対応する前記第１入出力ポートの内の出力ポートとを特定して、前記モニタバスの内の選択されたモニタバスに、特定された入力ポートと特定された出力ポートとをアサインし、前記特定された入力ポートからの音響信号と前記トラックＢからの音響信号とが所定の混合比で混合されて前記特定された出力ポートから出力されることを特徴とする音響信号処理装置。
【発明の詳細な説明】
【技術分野】
【０００１】
この発明は、音響信号処理装置におけるモニタしたい音響信号を、任意のＩ／Ｏ機器の任意の出力ポートからダイレクトアウトすることができる音響システムおよび音響信号処理装置に関する。
【背景技術】
【０００２】
従来、音響信号を扱う音響システムの一種として、Ｉ／Ｏ機器とミキサとをオーディオネットワークで接続した音響システムが知られている（特許文献１参照）。Ｉ／Ｏ機器は音響信号の入力および出力を行い、ミキサではＩ／Ｏ機器の入力ポートに入力された音響信号を受け取りミキシング処理などの音響信号処理を行って、Ｉ／Ｏ機器の出力ポートから出力する。ところで、ＤＡＷ（Digital Audio Workstation ）はミキシングなどの音響信号処理を行うことができ、ＤＡＷ用のアプリケーションソフトウェアがインストールされたパーソナルコンピュータ（以下、「ＰＣ」という）により実現される。このため、ミキサに替えてＤＡＷとすることにより、簡易に構成できる音響システムとすることができる。この音響システムでは、ＤＡＷが起動されたＰＣが音響信号処理装置として動作して、音響信号に所定の音響信号処理が行われる。Ｉ／Ｏ機器とＤＡＷとの間の音響信号のやりとりはオーディオネットワークを介して行われる。例えば、複数のマイクロホンや電気・電子楽器などから出力されるボーカル音や演奏音などの音響信号が、Ｉ／Ｏ機器の入力ポートに入力される。入力ポートに入力された複数の音響信号は、オーディオネットワークを介してＤＡＷに送られる。ＤＡＷは、トラックにおいて送られた音響信号に音響信号処理を行い、この音響信号処理を施した音響信号のミキシングをバスにおいて実行する。ミキシングなどの音響信号処理された音響信号は、ＤＡＷからオーディオネットワークを介してＩ／Ｏ機器に送られる。ＤＡＷから送られた音響信号は、スピーカなどが接続されているＩ／Ｏ機器の出力ポートから出力される。
【０００３】
ところで、Ｉ／Ｏ機器に接続される楽器やボーカルの演奏者の位置に応じて配置されたマイクロホンや電気楽器あるいは電子楽器等の各種楽器が演奏者の近傍に配置されており、演奏者はミキシングされた演奏音や自分の演奏音を、マイクロホンが配置された位置でモニタしながら演奏を行っている。モニタ信号はＩ／Ｏ機器の出力ポートから出力されて、演奏者の位置に対応して置かれたスピーカやヘッドホンなどのモニタ機器から演奏者が聴取することができる。
【先行技術文献】
【特許文献】
【０００４】
【特許文献１】特開２０１２−２０４８６４号公報
【発明の概要】
【発明が解決しようとする課題】
【０００５】
従来の音響システムにおいて、モニタしたい音響信号はＤＡＷのトラックの音響信号が対象とされ、モニタしたいトラックを演奏者やＤＡＷを操作するオペレータが指定すると共に、指定されたトラックの音響信号をオーディオネットワークを介してＩ／Ｏ機器に送るトラックも指定して、ＤＡＷからＩ／Ｏ機器に送られたモニタしたいトラックの音響信号を、Ｉ／Ｏ機器の指定した出力ポートから出力する。指定する出力ポートはモニタしたい演奏者に対応するモニタ機器に接続されている出力ポートが望まれ、出力ポートから出力される音響信号を演奏者はモニタすることができる。しかしながら、指定しようとするＩ／Ｏ機器の出力ポートに既にＤＡＷのいずれかのトラックがアサインされている場合、音響システムでは、その出力ポートにはモニタしたい音響信号をアサインすることができず、演奏者は他のアサイン可能な出力ポートを指定して、その代替の出力ポートにモニタ機器の接続替えを行わなければならないと云う問題点があった。
また、音響システムにおいては、モニタしたいトラックの音響信号は、Ｉ／Ｏ機器の入力ポートに入力された音響信号であることから、モニタしたいトラックに対応するＩ／Ｏ機器の入力ポートの音響信号を、モニタ機器が接続されている出力ポートに直接出力（ダイレクトアウト）することが可能である。しかしながら、指定しようとするＩ／Ｏ機器の出力ポートに既にＤＡＷのいずれかのトラックがアサインされていた場合、そのアサインを外して、その出力ポートにモニタしたい音響信号をアサインする操作が必要になり、その設定操作が煩雑になるという問題点があった。
そこで、本発明は、簡易な設定操作を行うだけで、モニタしたいＤＡＷのトラックの音響信号を、任意のＩ／Ｏ機器の任意の出力ポートから出力することができる音響システムおよび音響信号処理装置を提供することを目的としている。
【課題を解決するための手段】
【０００６】
上記目的を達成するために、本発明の音響システムは、複数のポートからなる第１入出力ポートをそれぞれ備える複数台のＩ／Ｏ機器と、複数のポートからなる第２入出力ポートと、複数のトラックとを少なくとも備える音響信号処理装置と、該音響信号処理装置と複数台の前記Ｉ／Ｏ機器とを接続するオーディオネットワークと、前記第１入出力ポートの任意のポートと前記第２入出力ポートの任意のポートとを、前記オーディオネットワーク上において論理的に接続する第１パッチ部と、前記音響信号処理装置内において、前記第２入出力ポートの任意のポートと任意の前記トラックとを論理的に接続する第２パッチ部と、複数台の前記Ｉ／Ｏ機器における前記第１入出力ポートの間を結ぶ複数のモニタバスとを備え、前記トラックの内のモニタしたいトラックＡと、該トラックＡの音響信号を出力する前記トラックの内のトラックＢとを選択した際に、前記第１パッチ部および前記第２パッチ部との接続情報を参照することにより、前記トラックＡに対応する前記第１入出力ポートの内の入力ポートと、前記トラックＢに対応する前記第１入出力ポートの内の出力ポートとを特定して、前記モニタバスの内の選択されたモニタバスに、特定された入力ポートと特定された出力ポートとをアサインし、前記特定された出力ポートから前記トラックＢからの音響信号のアサインを外すことを最も主要な特徴としている。
【発明の効果】
【０００７】
本発明の音響システムでは、モニタしたいトラックＡと、該トラックＡの音響信号を出力するトラックＢとを選択した際に、第１パッチ部および第２パッチ部とを参照することにより、トラックＡに対応する入力ポートと、トラックＢに対応する出力ポートとを特定して、モニタバスの内の選択されたモニタバスにアサインし、特定された出力ポートからトラックＢからの音響信号のアサインを外すようにしたので、接続替えをすることなくモニタしたいトラックの音響信号を、指定したＩ／Ｏ機器の指定したポートから出力することができるようになる。また、特定された入力ポートおよび出力ポートがモニタバスにアサインされることから、モニタしたいトラックに対応するＩ／Ｏ機器の入力ポートの音響信号を、モニタ機器が接続されている出力ポートにダイレクトアウトすることができるようになる。
【図面の簡単な説明】
【０００８】
【図１】本発明の実施例の音響システムの構成を示すブロック図である。
【図２】本発明にかかる音響システムにおけるＩ／Ｏ機器の入力ポートの構成例を示す図である。
【図３】本発明にかかる音響システムにおけるＩ／Ｏ機器の出力ポートの構成例を示す図である。
【図４】本発明にかかる音響システムにおけるＵＩの画面を示す図である。
【図５】本発明にかかる音響システムで実行されるダイレクトモニタ処理のフローチャートである。
【発明を実施するための形態】
【０００９】
本発明の実施例の音響システムの構成を示すブロック図を図１に示す。
図１に示す音響システム１は、第１Ｉ／Ｏ機器１０と第２Ｉ／Ｏ機器１３との２台のＩ／Ｏ機器と、ＤＡＷ（Digital Audio Workstation ）３０とがオーディオネットワーク２０で接続されて構成されている。図示する例では、第１Ｉ／Ｏ機器１０は、ポート数がそれぞれ４ポートからなる入力ポート１１と出力ポート１２とからなる第１入出力ポートを備え、第２Ｉ／Ｏ機器１３も、それぞれ４ポートからなる入力ポート１４と出力ポート１５とからなる第１入出力ポートを備えている。第１Ｉ／Ｏ機器１０と第２Ｉ／Ｏ機器１３との入力ポート１１，１４には、複数のマイクロホンや電気・電子楽器などから出力されるボーカル音や演奏音などの音響信号を入力することができる。これらの入力ポート１１，１４に入力された音響信号はオーディオネットワーク２０を介してＤＡＷ３０に入力され、ＤＡＷ３０において入力された音響信号に音響信号処理が施される。音響信号処理が施された音響信号は、ＤＡＷ３０から出力されオーディオネットワーク２０を介して第１Ｉ／Ｏ機器１０あるいは第２Ｉ／Ｏ機器１３に送られ、第１Ｉ／Ｏ機器１０と第２Ｉ／Ｏ機器１３との出力ポート１２，１５から出力することができる。これらの出力ポートにはアンプやヘッドフォン等の機器が接続されており、ＤＡＷ３０が出力した音響信号や後述するダイレクトアウトした音響信号を接続した機器から出力する。以下の説明では、入力ポート番号Ｎの入力ポートをＩｎＮ、出力ポート番号Ｎの出力ポートをＯｕｔＮとして表すものとする（ただし、Ｎは１以上の正の整数）。
【００１０】
ＤＡＷ３０は、本発明の実施例の音響信号処理装置であり、ＤＡＷ用のアプリケーションソフトウェアがインストールされたパーソナルコンピュータ（以下、「ＰＣ」という）により実現され、当該ＰＣでＤＡＷソフトウェアが起動されることにより、このＰＣがＤＡＷ３０として動作するようになる。ＤＡＷ３０が起動されたＰＣは本発明にかかる音響信号処理装置として動作し、音響信号の録音／再生、編集、ミキシングなどの一連の処理を実行することができるようになる。ＤＡＷ３０は、Ｉｎ１〜Ｉｎ１０，・・・の複数のポートを備える入力ポート３１と、Ｏｕｔ１〜Ｏｕｔ１０，・・・の複数のポートを備える出力ポート３２とからなる第２入出力ポート（I/O Port）を備え、入力ポート３１の内の入力ポートと、第１Ｉ／Ｏ機器１０あるいは第２Ｉ／Ｏ機器１３の入力ポート１１，１４がオーディオネットワーク２０を介して接続され、出力ポート３２の内の出力ポートと、第１Ｉ／Ｏ機器１０あるいは第２Ｉ／Ｏ機器１３の出力ポート１２，１５がオーディオネットワーク２０を介して接続される。このＩ／Ｏ機器の入出力ポートとＤＡＷの入出力ポートとの間の接続は、論理的な接続であり、接続されるポート間のアサインは、第１パッチ部２１により行われる。
【００１１】
図示する例では、第１パッチ部２１において、ＤＡＷ３０のＩｎ１〜Ｉｎ４の入力ポート３１が第１Ｉ／Ｏ機器１０のＩｎ１〜Ｉｎ４の入力ポート１１にそれぞれアサインされ、ＤＡＷ３０のＩｎ５〜Ｉｎ８の入力ポート３１が第２Ｉ／Ｏ機器１３の入力ポート１４のＩｎ１〜Ｉｎ４にそれぞれにアサインされる。また、第１パッチ部２１では、ＤＡＷ３０の出力ポート３２のＯｕｔ１〜Ｏｕｔ４が第１Ｉ／Ｏ機器１０の出力ポート１２のＯｕｔ１〜Ｏｕｔ４にそれぞれアサインされ、ＤＡＷ３０の出力ポート３２のＯｕｔ５〜Ｏｕｔ８が第２Ｉ／Ｏ機器１３の出力ポート１５のＯｕｔ１〜Ｏｕｔ４にそれぞれアサインされる。これにより、ＤＡＷ３０の入力ポート３１のＩｎ１〜Ｉｎ４に第１Ｉ／Ｏ機器１０の入力ポート１１のＩｎ１〜Ｉｎ４に入力された音響信号がそれぞれ入力され、ＤＡＷ３０の入力ポート３１のＩｎ５〜Ｉｎ８に第２Ｉ／Ｏ機器１３の入力ポート１４のＩｎ１〜Ｉｎ４に入力された音響信号がそれぞれ入力される。また、第１Ｉ／Ｏ機器１０の出力ポート１２のＯｕｔ１〜Ｏｕｔ４からＤＡＷ３０のＯｕｔ１〜Ｏｕｔ４の出力ポート３２から出力される音響信号処理が施された音響信号がそれぞれ出力され、第２Ｉ／Ｏ機器１３の出力ポート１５のＯｕｔ１〜Ｏｕｔ４からＤＡＷ３０の出力ポート３２のＯｕｔ５〜Ｏｕｔ８から出力される音響信号処理が施された音響信号がそれぞれ出力される。
なお、Ｉ／Ｏ機器の各入力ポートおよび出力ポートは、上述のとおりマイクロホンやヘッドホン等の外部機器を接続するための物理的なプラグと、各ポートとオーディオネットワーク２０（第１パッチ部２１）とを接続するための論路的なプラグとで構成されているが、以下特に断らない限り、第１入出力ポートは後者の論理的なプラグを指す。
【００１２】
図１に示す第１パッチ部２１における接続態様は一例であって、他の接続態様で第１Ｉ／Ｏ機器１０と第２Ｉ／Ｏ機器１３との第１入出力ポートのそれぞれを、ＤＡＷ３０の第２入出力ポートのそれぞれにアサインしてもよい。この第１パッチ部２１における第１入出力ポートのどのポートを第２入出力ポートのどのポートにアサインするかの設定は、ＤＡＷ３０が起動しているＰＣのオペレーションシステム（ＯＳ）に用意されているネットワーク管理のプログラムに用意されたユーザインタフェース（ＵＩ）を利用して、ＤＡＷ３０において行うことができる。設定された第１パッチ部２１の第１パッチ情報はＤＡＷ３０に用意された記憶領域に記憶される。
また、オーディオネットワーク２０は、複数の音響信号や、機器のコントロール信号を同時に扱えるネットワークとされており、どのようなフォーマットのネットワークでもよいが、例えば、イーサネット（登録商標）対応のネットワークとされている。第１Ｉ／Ｏ機器１０と第２Ｉ／Ｏ機器１３およびＤＡＷ３０はオーディオネットワーク２０の環境に対応する機器とされ、オーディオネットワーク２０にスター接続やディジーチェーン接続される。上述したとおり、Ｉ／Ｏ機器とＤＡＷ３０との接続は論理的な接続であるが、これはオーディオネットワーク２０における伝送路や伝送チャネル等に基づくルーティングにより実現される。例えば、オーディオネットワーク２０が１６系統の伝送チャネルを有している場合、第１伝送チャネルの送信元を第１Ｉ／Ｏ機器１０のＩｎ１の入力ポート１１とし、ＤＡＷ３０のＩｎ１の入力ポート３１が同伝送チャネルを受信するように設定し、あるいは第１３伝送チャネルの送信元をＤＡＷ３０のＯｕｔ５の出力ポート３２とし、第２Ｉ／Ｏ機器１３のＯｕｔ１の出力ポート１５が同伝送チャネルを受信するように設定する。なお、オーディオネットワーク２０はこの例に限らず、複数系統の音響信号を任意の送信元から任意の送信先へ伝送できるものであれば何でもよい。
【００１３】
さらに、ＤＡＷ３０では、入力ポート３１からの音響信号が入力されるトラックあるいは、バス３５からのミキシングされた音響信号が入力されるトラックからなるトラック３４を備えている。各トラックにおいては、それぞれ入力された音響信号に所定の音響信号処理を施すことができる。以下の説明では、トラック番号ＭのトラックをＴｒＭとして表す（ただし、Ｍは１以上の正の整数）。トラック３４には、Ｔｒ１〜Ｔｒ１０，・・・の複数のトラックが用意されている。入力ポート３１および出力ポート３２からなる第２入出力ポートの内の任意のポートをトラック３４の内の任意のトラックにそれぞれ接続することができる。この接続は上記ＤＡＷ用のアプリケーションソフトウェアにより実現される論理的な接続とされ、接続されるポートとトラック間のアサインは第２パッチ部３３により行われる。図示する例では、第２パッチ部３３において、入力ポート３１のＩｎ１がトラック３４のＴｒ１にアサインされ、入力ポート３１のＩｎ２がトラック３４のＴｒ５にアサインされ、入力ポート３１のＩｎ４がトラック３４のＴｒ３にアサインされ、入力ポート３１のＩｎ５がトラック３４のＴｒ２にアサインされ、入力ポート３１のＩｎ７がトラック３４のＴｒ６にアサインされ、入力ポート３１のＩｎ８がトラック３４のＴｒ１０にアサインされている。また、出力ポート３２のＯｕｔ１がトラック３４のＴｒ８にアサインされ、出力ポート３２のＯｕｔ５がトラック３４のＴｒ９にアサインされ、出力ポート３２のＯｕｔ７がトラック３４のＴｒ７にアサインされている。
入力ポート３１と出力ポート３２からなる第２出力ポートのどのポートをトラック３４の内のどのトラックにアサインするかの設定は、ＤＡＷ３０において行われ、設定された第２パッチ部３３の第２パッチ情報は、ＤＡＷ３０に用意された記憶領域に記憶される。なお、図１に示す第２パッチ部３３における接続態様は一例であって、他の接続態様で入力ポート３１および出力ポート３２からなる第２入出力ポートの任意のポートをトラック３４の内の任意のトラックのそれぞれにアサインしてもよい。
【００１４】
図１に示す第１パッチ部２１および第２パッチ部３３の上記した接続態様では、トラック３４のＴｒ１には、ＤＡＷ３０の入力ポート３１のＩｎ１を介して第１Ｉ／Ｏ機器１０の入力ポート１１のＩｎ１に入力された音響信号が入力され、トラック３４のＴｒ２には、ＤＡＷ３０の入力ポート３１のＩｎ５を介して第２Ｉ／Ｏ機器１３の入力ポート１４のＩｎ１に入力された音響信号が入力され、トラック３４のＴｒ３には、ＤＡＷ３０の入力ポート３１のＩｎ４を介して第１Ｉ／Ｏ機器１０の入力ポート１１のＩｎ４に入力された音響信号が入力され、トラック３４のＴｒ５には、ＤＡＷ３０の入力ポート３１のＩｎ２を介して第１Ｉ／Ｏ機器１０の入力ポート１１のＩｎ２に入力された音響信号が入力され、トラック３４のＴｒ６には、ＤＡＷ３０の入力ポート３１のＩｎ７を介して第２Ｉ／Ｏ機器１３の入力ポート１４のＩｎ３に入力された音響信号が入力され、トラック３４のＴｒ１０には、ＤＡＷ３０の入力ポート３１のＩｎ８を介して第２Ｉ／Ｏ機器１３の入力ポート１４のＩｎ４に入力された音響信号が入力される。また、トラック３４のＴｒ７から出力されるＤＡＷ３０で音響信号処理された音響信号は、ＤＡＷ３０の出力ポート３２のＯｕｔ７を介して第２Ｉ／Ｏ機器１３の出力ポート１５のＯｕｔ３から出力され、トラック３４のＴｒ８から出力されるＤＡＷ３０で音響信号処理された音響信号は、ＤＡＷ３０の出力ポート３２のＯｕｔ１を介して第１Ｉ／Ｏ機器１０の出力ポート１２のＯｕｔ１からが出力され、トラック３４のＴｒ９から出力されるＤＡＷ３０で音響信号処理された音響信号は、ＤＡＷ３０の出力ポート３２のＯｕｔ５を介して第２Ｉ／Ｏ機器１３の出力ポート１５のＯｕｔ１からが出力される。
このように、第１パッチ部２１の第１パッチ情報および第２パッチ部３３の第２パッチ情報を参照することにより、トラック３４の各トラックが、第１Ｉ／Ｏ機器１０および第２Ｉ／Ｏ機器１３の入力ポート１１，１４および出力ポート１２，１５からなる第１入出力ポートにどのように対応付けられているかを知ることができる。
【００１５】
なお、ＤＡＷ３０においては、ミキシング用の複数本のバス３５が設けられており、このバス３５において、トラック３４からバス３５に送られた音響信号を複数通りにミキシングすることができる。バス３５でミキシングされた音響信号は、ユーザ（オペレータ）が任意に選択できるトラック３４の内の出力先のトラックに出力され、当該トラックにアサインされた出力ポート３２からオーディオネットワーク２０を介して、Ｉ／Ｏ機器１０，１３に送られるようになる。また、トラック３４の各トラックにおいては、音響信号の周波数特性、音量、定位などの音響信号処理を行うことができる。
【００１６】
本発明の実施例の音響システム１においては、ＤＡＷ３０のモニタしたいトラックに対応するＩ／Ｏ機器の入力ポートの音響信号を、モニタ機器が接続されているＩ／Ｏ機器の出力ポートにダイレクトアウトすることができ、ダイレクトアウトされた音響信号をモニタ機器により演奏者はモニタ（以下、「ダイレクトモニタ」という）することができる。詳細に説明すると、トラック３４の任意のトラックにＩ／Ｏ機器から入力している音響信号をモニタすることが指示された際（モニタがオンされた際）に、第１Ｉ／Ｏ機器１０の入力ポート１１および第２Ｉ／Ｏ機器１３の入力ポート１４の任意のポートに入力された音響信号を、第１Ｉ／Ｏ機器１０の出力ポート１２および第２Ｉ／Ｏ機器１３の出力ポート１５の任意の出力ポートからダイレクトアウトできるようにダイレクトモニタ用の複数本のモニタバス１６が設けられている。このモニタバス１６は、オーディオネットワーク２０のリソースの一部を使用して実現することができる。具体的には、特定の複数のチャンネルを確保してモニタバス１６として使用すれば良い。このモニタバス１６を利用することにより、トラック３４の内のモニタしたい任意のトラックに入力している音響信号をＩ／Ｏ機器においてダイレクトモニタすることができる。ダイレクトモニタする場合は、モニタしたいトラックＡを指定すると共に、出力ポート１２，１５の内のモニタする音響信号を出力したい出力ポートに対応するトラック３４の内の特定のトラックＢを指定する。例えば、トラック３４の内のＴｒ１をモニタしたいトラックとして指定すると共に、モニタ信号を出力するトラックとしてＴｒ９を指定すると、Ｔｒ１に入力された音響信号が、第１Ｉ／Ｏ機器１０の入力ポート１１および第２Ｉ／Ｏ機器１３の入力ポート１４の内のいずれの入力ポートに入力されているかを、第１パッチ部２１の第１パッチ情報および第２パッチ部３３の第２パッチ情報を参照して第１Ｉ／Ｏ機器１０の入力ポート１１の内のＩｎ１と特定し、ＤＡＷ３０は、Ｔｒ１に対応する第１Ｉ／Ｏ機器１０のＩｎ１を任意に選択されたモニタバス１６の１本にアサインするよう設定指示（あるいはコマンド出力）を第１Ｉ／Ｏ機器１０に対して行う。そして、Ｔｒ９から出力される音響信号が第１Ｉ／Ｏ機器１０の出力ポート１２および第２Ｉ／Ｏ機器１３の出力ポート１５の内のいずれの出力ポートに出力されているかを、第１パッチ部２１の第１パッチ情報および第２パッチ部３３の第２パッチ情報を参照して第２Ｉ／Ｏ機器１３の出力ポート１５の内のＯｕｔ１と特定し、ＤＡＷ３０は、Ｔｒ９に対応する第２Ｉ／Ｏ機器１３のＯｕｔ１をモニタバス１６の内の前記選択したモニタバスにアサインするよう設定指示（あるいはコマンド出力）を第２Ｉ／Ｏ機器１３に対して行う。これにより、Ｔｒ１に対応する第１Ｉ／Ｏ機器１０の入力ポート１１の内のＩｎ１に入力された音響信号が、ＤＡＷ３０やオーディオネットワーク２０を介すことなく、Ｔｒ９に対応していた第２Ｉ／Ｏ機器１３の出力ポート１５の内のＯｕｔ１から出力されることになり、Ｉ／Ｏ機器側においてダイレクトモニタされるようになる。この場合、Ｔｒ９からの音響信号は、Ｔｒ９の出口、Ｔｒ９がアサインされている出力ポート３２のＯｕｔ５、第２Ｉ／Ｏ機器１３の出力ポート１５の内のＯｕｔ１のいずれかにおいて止められて（あるいは信号レベルがゼロとされて）、出力ポート１５のＯｕｔ１からは出力されない。
このような、ダイレクトアウトのための接続を行うことにより、オーディオネットワーク２０およびＤＡＷ３０を介していない音響信号がＩ／Ｏ機器の出力ポートから出力されることから、時間遅れのない音響信号をダイレクトモニタすることができる。また、任意の入力ポートと任意の出力ポートをモニタバスにアサインすることができるので、複数のＩ／Ｏ機器をまたいでもダイレクトアウトすることができる。
【００１７】
第１Ｉ／Ｏ機器１０および第２Ｉ／Ｏ機器１３の入力ポート１１，１４の構成例を図２に示す。図２では入力ポート１１のＩｎ１の１つの入力ポートの構成のみを示しているが、全ての入力ポートは同じ構成とされている。
図２に示すように、入力ポート１１のＩｎ１に入力された音響信号はオーディオネットワーク２０に出力される。そして、Ｉｎ１の入力ポートはモニタバス１６のそれぞれにスイッチを介して接続されるが、図２に示すようにモニタバス１６が「１」〜「３」の３本とされている場合は、３本のモニタバス１６のそれぞれにスイッチＳＷａ，ＳＷｂ，ＳＷｃを介して接続される。モニタがオフされている通常時においては、スイッチＳＷａ，ＳＷｂ，ＳＷｃは全てオフされているが、モニタがオンされた際には、例えば、モニタしたいトラックの音響信号が入力ポート１１のＩｎ１からの音響信号とされ、ダイレクトアウト用に選択されたモニタバスが「１」のモニタバス１６とされている場合は、入力ポート１１のＩｎ１に入力された音響信号を「１」のモニタバス１６にアサインするために、スイッチＳＷａがオンされて入力ポート１１のＩｎ１に入力された音響信号が、「１」のモニタバス１６に出力される。
【００１８】
また、第１Ｉ／Ｏ機器１０および第２Ｉ／Ｏ機器１３の出力ポート１２，１５の構成例を図３（ａ）（ｂ）に示す。図３（ａ）（ｂ）では出力ポート１２のＯｕｔ１の１つの出力ポートの構成のみを示しているが、全ての出力ポートは同じ構成とされる。
図３（ａ）に示す構成例では、オーディオネットワーク２０からのラインが切換スイッチＳＷｄの接点「１」に接続され、３本のモニタバス１６のそれぞれが切換スイッチＳＷｄの接点「２」「３」「４」にそれぞれ接続されている。切換スイッチＳＷｄは、オーディオネットワーク２０からの入力と、複数本のモニタバス１６からの入力を択一的に切り替えるスイッチであり、切換スイッチＳＷｄにより択一的に選択された入力が出力ポート１２のＯｕｔ１から出力される。モニタがオフされている通常時においては、切換スイッチＳＷｄが接点「１」に切り替えられており、オーディオネットワーク２０から入力された音響信号が出力ポート１２のＯｕｔ１に出力される。なお、オーディオネットワーク２０から入力される音響信号は、出力ポート１２のＯｕｔ１に対応しているＤＡＷ３０のトラック（図１に示す場合はＴｒ８）からの音響信号である。
【００１９】
また、モニタがオンされた場合に、例えば、「１」のモニタバス１６に出力ポート１２のＯｕｔ１がアサインされた場合は、切換スイッチＳＷｄが接点「２」に切り替えられて出力ポート１２のＯｕｔ１から「１」のモニタバス１６からの音響信号がダイレクトアウトされて、ダイレクトモニタされるようになる。この際に、出力ポート１２のＯｕｔ１に対応しているＤＡＷ３０のトラックから出力される音響信号は、切替スイッチＳＷｄにより止められ出力ポート１２のＯｕｔ１からは出力されない。このように、図３（ａ）に示す構成例では、モニタ信号を出力するＩ／Ｏ機器の出力ポートに対応しているＤＡＷ３０のトラックからの音響信号は、モニタがオンされた際に、それまではアサインされていたＩ／Ｏ機器の出力ポートへのアサインが外されて、モニタ信号がダイレクトアウトされる当該出力ポートからは出力されないようになる。
【００２０】
また、図３（ｂ）に示す構成例では、オーディオネットワーク２０からの音響信号と、複数本のモニタバス１６からの音響信号が混合回路（Ｍｉｘ）１７に入力されて混合され、Ｍｉｘ１７からの音響信号が出力ポート１２のＯｕｔ１から出力される。Ｍｉｘ１７では、オーディオネットワーク２０から入力される音響信号とモニタバス１６の「１」〜「３」から入力される音響信号との混合比が調整されて混合される。モニタがオフされている通常時においては、オーディオネットワーク２０から入力された音響信号のレベルは「１（減衰量０ｄＢ）」とされるが、モニタバス１６から入力される各音響信号のレベルは「０（減衰量−∞ｄＢ）」とされて、Ｍｉｘ１７からはオーディオネットワーク２０から入力された音響信号のみが出力されて、出力ポート１２のＯｕｔ１から出力される。なお、オーディオネットワーク２０から入力される音響信号は、出力ポート１２のＯｕｔ１に対応しているＤＡＷ３０のトラックからの音響信号である。
【００２１】
そして、モニタがオンされた場合に、例えば、「１」のモニタバス１６に出力ポート１２のＯｕｔ１がアサインされた場合は、「１」のモニタバス１６から入力された音響信号のレベルが「１（減衰量０ｄＢ）」とされ、オーディオネットワーク２０から入力された音響信号および「２」「３」のモニタバス１６から入力される音響信号のレベルは「０（減衰量−∞ｄＢ）」とされて、Ｍｉｘ１７からは「１」のモニタバス１６から入力された音響信号のみが出力され、出力ポート１２のＯｕｔ１からダイレクトアウトされる。
図３（ｂ）に示す構成例においても、モニタ信号を出力するＩ／Ｏ機器の出力ポートに対応しているＤＡＷ３０のトラックからの音響信号は、モニタがオンされた際に、それまではアサインされていたＩ／Ｏ機器の出力ポートへのアサインが外されて、モニタ信号がダイレクトアウトされる当該出力ポートからは出力されないようになる。
【００２２】
なお、図３（ｂ）に示す構成例では、Ｍｉｘ１７に入力される音響信号の混合比を任意の混合比として出力することもできる。例えば、モニタがオンされた際に、「１」のモニタバス１６に出力ポート１２のＯｕｔ１がアサインされた場合は、「１」のモニタバス１６からの音響信号とオーディオネットワーク２０からの音響信号とをＭｉｘ１７においてあらかじめ設定した任意の混合比で混合し、出力ポート１２のＯｕｔ１から出力する。これにより、モニタバス１６からの音響信号とオーディオネットワーク２０からの音響信号とが共に出力されるようになる。これにより、ユーザがモニタしたいトラックの音響信号に加えて、ＤＡＷ３０のトラックからの音響信号もモニタしたい場合に、モニタバス１６に出力された音響信号とオーディオネットワーク２０からの音響信号とを、ユーザがモニタすることができるようになる。この場合、ＤＡＷ３０のトラックからの音響信号は伴奏音などとされる。
【００２３】
ダイレクトモニタの設定を行うユーザインタフェース（ＵＩ）の画面の一例を図４に示す。
図４に示すＵＩ４０の画面は、ＤＡＷ３０が起動しているＰＣのディスプレイに表示される。このＵＩ４０では、モニタしたいトラック（Source Track）を指定するモニタトラック指定欄４１と、モニタ信号を出力するトラック（Destination Track）を指定する宛先トラック指定欄４２と、ダイレクトモニタする際のモニタバス（Direct Monitor Bus）を指定するバス指定欄４３とが画面の左側に３段に表示されている。モニタトラック指定欄４１では、右端の「▽」にカーソルを合わせてポインティングデバイスをクリックする等の操作指示により表示されたトラックのドロップダウンリストから、トラック３４の内のモニタしたいトラックのトラック番号を指定する。ドロップダウンリストには、第１Ｉ／Ｏ機器１０の入力ポート１１および第２Ｉ／Ｏ機器１３の入力ポート１４からの音響信号が入力されるトラックのトラック番号だけが第１パッチ情報および第２パッチ情報を参照することにより指定可能に表示され、図４に示す例では、モニタしたいトラックがＴｒ１と指定されている。宛先トラック指定欄４２では、「▽」をクリックすることにより表示された指定可能なトラックのドロップダウンリストから、トラック３４の内のモニタ信号を出力するトラックのトラック番号を指定する。ドロップダウンリストには、第１Ｉ／Ｏ機器１０の出力ポート１２および第２Ｉ／Ｏ機器１３の出力ポート１５へ音響信号が出力されるトラックのトラック番号だけが第１パッチ情報および第２パッチ情報を参照することにより指定可能に表示され、図４に示す例では、モニタ信号を出力するトラックがＴｒ９と指定されている。バス指定欄４３では、「▽」をクリックすることにより表示された指定可能なモニタバス１６のドロップダウンリストから、ダイレクトアウトするモニタバスのバス番号を指定する。ドロップダウンリストには、モニタバス１６のバス番号が表示され、図４に示す例では、「３」のモニタバスが指定されている。
【００２４】
ＵＩ４０の画面の右側の上部にはモード（Mode）を選択するモード選択欄４４が表示され、モード選択欄４４では「Select」と「Mix」のいずれかを指定することができ、「Select」を指定するとモニタトラック指定欄４１で指定されたトラックの音響信号のみがモニタ信号とされて、宛先トラック指定欄４２で指定されたトラックに対応する出力ポートからダイレクトアウトされる。また、「Mix」を指定するとモニタトラック指定欄４１で指定されたトラックの音響信号と、宛先トラック指定欄４２で指定されたトラックにアサインされていた音響信号とが混合されて、当該トラックに対応する出力ポートから出力される。この場合は、出力ポートは図３（ｂ）に示す構成とされて、「Select」と「Mix」のいずれか指定されたモードに対応する混合比をＭｉｘ１７に設定するようにする。この混合比は図示しない設定画面などで設定できるようにしてもよいし、あらかじめ設定・記憶された混合比を用いてもよい。
また、モード選択欄４４の下にはモニタのオンを指示するオンボタン４５と、モニタのオフを指示するオフボタン４６とが表示されており、オンボタン４５をクリックするとモニタトラック指定欄４１ないしモード選択欄４４の指定に対応するダイレクトモニタ処理が実行され、オフボタン４６をクリックすると、ダイレクトモニタが停止される。
【００２５】
次に、本発明にかかる音響システムで実行される上記ダイレクトモニタ処理のフローチャートを図５に示し、フローチャートを説明する。
ＤＡＷ３０が起動しているＰＣのディスプレイにＵＩ４０の画面を表示する操作が行われ、表示されたＵＩ４０においてオンボタン４５が操作された時にダイレクトモニタ処理が起動され、ステップＳ１０にてモニタしたいトラック（Track-In）が選択される。選択されるトラックはＵＩ４０においてモニタトラック指定欄４１で指定されたトラックとされる。次いで、ステップＳ１１にてTrack-Inの音響信号を出力するトラック（Track-Out）が選択される。選択されるトラックはＵＩ４０において宛先トラック指定欄４２で指定されたトラックとされる。Track-InとTrack-Outとが選択されるとステップＳ１２にて、第１パッチ部２１の第１パッチ情報および第２パッチ部３３の第２パッチ情報が参照されて、Track-Inのトラックに入力される音響信号が、第１Ｉ／Ｏ機器１０の入力ポート１１および第２Ｉ／Ｏ機器１３の入力ポート１４の内のいずれの入力ポートに入力されているかが特定される（Port-In）と共に、Track-Outのトラックから出力される音響信号が、第１Ｉ／Ｏ機器１０の出力ポート１２および第２Ｉ／Ｏ機器１３の出力ポート１５の内のいずれの出力ポートに出力されているかが特定される（Port-Out）。
【００２６】
Port-InとPort-Outとが特定されるとステップＳ１３にて、特定されたPort-InとPort-Outとが同じＩ／Ｏ機器内の入力ポートと出力ポートであるか否かが判断される。本実施形態では、特定されたPort-InとPort-Outとが、第１Ｉ／Ｏ機器１０の入力ポート１１と出力ポート１２である場合、または、第２Ｉ／Ｏ機器１３の入力ポート１４と出力ポート１５である場合は、ステップＳ１３で同じＩ／Ｏ機器と判断されてステップＳ１６に分岐する。ステップＳ１６では、特定されたPort-InからPort-Outに接続して（ＤＡＷ３０から当該ポートを備えたＩ／Ｏ機器に接続を切りかえる指示あるいはコマンドを出力して）、Port-Inに入力された音響信号をPort-Outから出力してダイレクトモニタ処理は終了する。なお、特定されたPort-InからPort-Outに接続する際、ＵＩ４０のモード選択欄４４で選択された態様にて、オーディオネットワーク２０からの音響信号が遮断あるいはミキシングされる。また、特定されたPort-Inが第１Ｉ／Ｏ機器１０の入力ポート１１であり、Port-Outが第２Ｉ／Ｏ機器１３の出力ポート１５である場合、あるいは、Port-Inが第２Ｉ／Ｏ機器１３の入力ポート１４であり、Port-Outが第１Ｉ／Ｏ機器１０の出力ポート１２である場合は、ステップＳ１３で別のＩ／Ｏ機器と判断されてステップＳ１４に進む。ステップＳ１４では、Port-Inから入力された音響信号をＵＩ４０においてバス指定欄４３で指定されたモニタバスにアサインする（ＤＡＷ３０からPort-Inを備えたＩ／Ｏ機器に接続を切りかえる指示あるいはコマンドを出力する）。そして、ステップＳ１４でアサインされたモニタバスからの音響信号をステップＳ１５にてPort-Outにアサインする（ＤＡＷ３０からPort-Outを備えたＩ／Ｏ機器に接続を切りかえる指示あるいはコマンドを出力する）ことにより、１のＩ／Ｏ機器のPort-Inに入力された音響信号を他のＩ／Ｏ機器のPort-Outから出力してダイレクトモニタ処理は終了する。この場合も、特定されたPort-InからPort-Outに接続する際、ＵＩ４０のモード選択欄４４で選択された態様にて、オーディオネットワーク２０からの音響信号が遮断あるいはミキシングされる。
これにより、Port-Inから入力された音響信号がPort-Outからダイレクトアウトされて、時間遅れのない音響信号をダイレクトモニタすることができるようになる。
【００２７】
このように、ＵＩ４０において、オンボタン４５が操作されてモニタがオンされると、上記したダイレクトモニタ処理によりモニタトラック指定欄４１で指定したモニタしたいトラックＡの音響信号が宛先トラック指定欄４２で指定したトラックＢに対応するＩ／Ｏ機器の出力ポートからダイレクトアウトされるが、この際に、トラックＢからの音響信号は止められて、Ｉ／Ｏ機器の出力ポートから出力されないようになる。この場合、トラックＢからの音響信号は、トラックＢの出口で止められたり、トラックＢにアサインされているＤＡＷ３０の出力ポート３２で止められたり、あるいは、図３（ａ）（ｂ）で上記説明したようにトラックＢに対応するＩ／Ｏ機器の出力ポートで止められたりされる。音響信号を止めるには、その音響信号のポートへのアサインを外すようにすれば良い。
なお、ＵＩ４０において宛先トラック指定欄４２で指定するトラックは、当該トラックに対応しているＩ／Ｏ機器の出力ポートに対象とするユーザがモニタしているモニタ機器が接続されており、当該出力ポートに対応するトラックが指定される。
【００２８】
また、ＵＩ４０において、オフボタン４４が操作されてモニタがオフされると、上記Port-Inのスイッチをオフに切り替えるとともに、Port-Outのスイッチをオーディオネットワーク２０に対応する「１」に切り替える（あるいはオーディオネットワーク２０からの信号レベル「１（減衰量０ｄＢ）」を元に戻し、かつ、モニタバス１６からの信号レベルを「０（減衰量−∞ｄＢ）」とする）。これにより、Port-Out からは再びＤＡＷ３０のトラックＢが出力した音響信号（図４の例ではＴｒ９）が出力されることになる。
【産業上の利用可能性】
【００２９】
以上説明した本発明にかかる音響システムにおいては、Ｉ／Ｏ機器は２台とされていたが３台以上のＩ／Ｏ機器とＤＡＷとをオーディオネットワークを介して接続するようにしても、３台以上のＩ／Ｏ機器をまたいでダイレクトアウトすることができる。また、図示したＩ／Ｏ機器の入力ポート数および出力ポート数は一例であって、任意の数の入力ポートおよび出力ポートをＩ／Ｏ機器は備えることができる。また、モニタバス１６に接続する入力ポートあるいは出力ポートはそれぞれ複数であってもよい。
本発明の実施例の音響システムは、例えば、コンサート会場や大規模イベントなどのＰＡ（Public Address：パブリック・アドレス）システム、デパート、学校など施設内における構内放送用のシステム、或いは、音楽レコーディングスタジオのレコーディングシステムなど、種々のシーンで利用されるオーディオミキシング用システムとすることができる。
【符号の説明】
【００３０】
１  音響システム、１０  第１Ｉ／Ｏ機器、１１  入力ポート、１２  出力ポート、１３  第２Ｉ／Ｏ機器、１４  入力ポート、１５  出力ポート、１６  モニタバス、１７  混合回路、２０  オーディオネットワーク、２１  第１パッチ部、ＤＡＷ  ３０、３１  入力ポート、３２  出力ポート、３３  第２パッチ部、３４  トラック、３５  バス、４０  ＵＩ、４１  モニタトラック指定欄、４２  宛先トラック指定欄、４３  バス指定欄、４４  モード選択欄、４５  オンボタン、４６  オフボタン、ＳＷａ，ＳＷｂ，ＳＷｃ  スイッチ、ＳＷｄ  切換スイッチ
【図１】
2015188203.tif 000003
【図２】
2015188203.tif 000004
【図３】
2015188203.tif 000005
【図４】
2015188203.tif 000006
【図５】
2015188203.tif 000007